(57)【要約】【課題】同一ＩＤを複数存在させ、ユーザ自身が意図していないコンテンツを一定の割合で配信する。【解決手段】サーバ装置１は、送信携帯端末装置１０１からコンテンツまたはレコメンド情報を受信する携帯端末連携部７と、受信したコンテンツまたはレコメンド情報に対して認証ＩＤを付与する認証ＩＤ生成部５と、複数のコンテンツおよびレコメンド情報を記録すると共に、受信したコンテンツまたはレコメンド情報を記録するデータベース３と、を備えることを特徴する。【選択図】図１
2016118827.tif 000002
【特許請求の範囲】
【請求項１】
サーバ装置から携帯端末装置へコンテンツを配信するコンテンツ配信システムであって、
前記携帯端末装置は、
自装置が保有しているコンテンツまたは前記サーバ装置が保有しているコンテンツのレコメンド情報を前記サーバ装置へ送信する一方、前記送信したコンテンツまたはレコメンド情報に対して前記サーバ装置から付与された認証ＩＤを受信するサーバ連携部と、
前記認証ＩＤを他の携帯端末装置へ送信する近距離通信部と、を備え、
前記サーバ装置は、
前記携帯端末装置からコンテンツまたはレコメンド情報を受信する携帯端末連携部と、
前記受信したコンテンツまたはレコメンド情報に対して認証ＩＤを付与する認証ＩＤ生成部と、
複数のコンテンツおよびレコメンド情報を記録すると共に、前記受信したコンテンツまたはレコメンド情報を記録するデータベースと、を備え、
前記認証ＩＤ生成部は、前記データベースに記録されている複数のコンテンツおよびレコメンド情報からいずれか一つのコンテンツまたはレコメンド情報を抽出し、前記受信したコンテンツまたはレコメンド情報が、前記抽出したコンテンツまたはレコメンド情報と同一ではないこと、および前記受信したコンテンツまたはレコメンド情報に付されている位置情報により特定される地域が、前記抽出したコンテンツまたはレコメンド情報に付されている位置情報により特定される地域と同一ではない場合に、前記受信したコンテンツまたはレコメンド情報に対し、前記抽出したコンテンツまたはレコメンド情報と同一の認証ＩＤを付与することを特徴とするコンテンツ配信システム。
【請求項２】
サーバ装置から携帯端末装置へコンテンツを配信するコンテンツ配信システムであって、
前記携帯端末装置は、
他の携帯端末装置からコンテンツまたはレコメンド情報の認証ＩＤを取得する近距離通信部と、
自装置の位置情報および前記認証ＩＤを前記サーバ装置へ送信する一方、前記サーバ装置から前記認証ＩＤに対応するコンテンツまたはレコメンド情報を受信するサーバ連携部と、を備え、
前記サーバ装置は、
複数のコンテンツおよびレコメンド情報を記録するデータベースと、
前記携帯端末装置から前記位置情報および前記認証ＩＤを受信すると共に、前記受信した認証ＩＤが、前記データベース中に記録されている複数種類のコンテンツおよびレコメンド情報に対応している場合は、前記受信した位置情報に最も近い位置情報が付されているコンテンツまたはレコメンド情報を抽出する一方、前記受信した認証ＩＤが、前記データベース中に記録されている複数種類のコンテンツおよびレコメンド情報に対応していない場合は、対応するコンテンツまたはレコメンド情報を抽出して、前記携帯端末装置に送信する携帯端末連携部と、を備えることを特徴とするコンテンツ配信システム。
【請求項３】
複数の携帯端末装置から送信されたコンテンツまたはレコメンド情報に対し、ＩＤの生成を行なうサーバ装置であって、
前記携帯端末装置からコンテンツまたはレコメンド情報を受信する携帯端末連携部と、
前記受信したコンテンツまたはレコメンド情報に対して認証ＩＤを付与する認証ＩＤ生成部と、
複数のコンテンツおよびレコメンド情報を記録すると共に、前記受信したコンテンツまたはレコメンド情報を記録するデータベースと、を備え、
前記認証ＩＤ生成部は、前記データベースに記録されている複数のコンテンツおよびレコメンド情報からいずれか一つのコンテンツまたはレコメンド情報を抽出し、前記受信したコンテンツまたはレコメンド情報が、前記抽出したコンテンツまたはレコメンド情報と同一ではないこと、および前記受信したコンテンツまたはレコメンド情報に付されている位置情報により特定される地域が、前記抽出したコンテンツまたはレコメンド情報に付されている位置情報により特定される地域と同一ではない場合に、前記受信したコンテンツまたはレコメンド情報に対し、前記抽出したコンテンツまたはレコメンド情報と同一の認証ＩＤを付与することを特徴とするサーバ装置。
【請求項４】
複数の携帯端末装置から送信されたコンテンツまたはレコメンド情報に対し、ＩＤの認証を行なうサーバ装置であって、
複数のコンテンツおよびレコメンド情報を記録するデータベースと、
前記携帯端末装置から位置情報および認証ＩＤを受信すると共に、前記受信した認証ＩＤが、前記データベース中に記録されている複数種類のコンテンツおよびレコメンド情報に対応している場合は、前記受信した位置情報に最も近い位置情報が付されているコンテンツまたはレコメンド情報を抽出する一方、前記受信した認証ＩＤが、前記データベース中に記録されている複数種類のコンテンツおよびレコメンド情報に対応していない場合は、対応するコンテンツまたはレコメンド情報を抽出して、前記携帯端末装置に送信する携帯端末連携部と、を備えることを特徴とするサーバ装置。
【請求項５】
サーバ装置へコンテンツまたはレコメンド情報を提供する携帯端末装置であって、
自装置が保有しているコンテンツまたは前記サーバ装置が保有しているコンテンツのレコメンド情報を前記サーバ装置へ送信する一方、前記送信したコンテンツまたはレコメンド情報に対して前記サーバ装置から、予め定められた条件の下で付与された認証ＩＤを受信するサーバ連携部と、
前記認証ＩＤを他の携帯端末装置へ送信する近距離通信部と、
前記コンテンツまたはレコメンド情報に対し利用期限を設定し、前記設定された利用期限情報を少なくとも含む配信設定を行なう配信設定部と、を備え、
前記条件の下において、前記サーバ装置により、データベースに記録されている複数のコンテンツおよびレコメンド情報からいずれか一つのコンテンツまたはレコメンド情報が抽出され、前記送信したコンテンツまたはレコメンド情報が、前記抽出されたコンテンツまたはレコメンド情報と同一ではないこと、および前記送信したコンテンツまたはレコメンド情報に付されている位置情報により特定される地域が、前記抽出されたコンテンツまたはレコメンド情報に付されている位置情報により特定される地域と同一ではない場合に、前記送信したコンテンツまたはレコメンド情報に対し、前記抽出されたコンテンツまたはレコメンド情報と同一の認証ＩＤが付与されることを特徴とする携帯端末装置。
【請求項６】
サーバ装置からコンテンツまたはレコメンド情報を受信する携帯端末装置であって、
他の携帯端末装置から、予め定められた条件の下で付与されたコンテンツまたはレコメンド情報の認証ＩＤを取得する近距離通信部と、
自装置の位置情報および前記認証ＩＤを前記サーバ装置へ送信する一方、前記サーバ装置から前記認証ＩＤに対応するコンテンツまたはレコメンド情報を受信するサーバ連携部と、
前記コンテンツまたはレコメンド情報に対し設定されている利用期限情報を用いて、前記コンテンツ若しくはレコメンド情報を再生し、または前記コンテンツ若しくはレコメンド情報の削除を行なうコンテンツ再生部と、を備え、
前記条件の下において、前記サーバ装置により、データベースに記録されている複数のコンテンツおよびレコメンド情報からいずれか一つのコンテンツまたはレコメンド情報が抽出され、前記送信したコンテンツまたはレコメンド情報が、前記抽出されたコンテンツまたはレコメンド情報と同一ではないこと、および前記送信したコンテンツまたはレコメンド情報に付されている位置情報により特定される地域が、前記抽出されたコンテンツまたはレコメンド情報に付されている位置情報により特定される地域と同一ではない場合に、前記送信したコンテンツまたはレコメンド情報に対し、前記抽出されたコンテンツまたはレコメンド情報と同一の認証ＩＤが付与されることを特徴とする携帯端末装置。
【発明の詳細な説明】
【技術分野】
【０００１】
本発明は、サーバ装置から携帯端末装置へコンテンツを配信するコンテンツ配信システム、サーバ装置および携帯端末装置に関する。
【背景技術】
【０００２】
従来から、ｙｏｕｔｕｂｅやニコニコ動画など自身が作成したコンテンツを提供できるプラットフォームが普及し、自身が作成したコンテンツを配信する人も増えている。Ｗｅｂの音楽サービスにおいても自身が聴いている曲を他者に対しておすすめすることが可能であるし、口コミサイトやレビューサイトなど自身がお店やコンテンツをおすすめするプラットフォームが普及している。
【０００３】
特許文献１では、コンテンツ配信サーバ、携帯端末、店舗用端末がネットワークを介して接続し、店舗用端末が情報発信したいコンテンツと配信エリア情報をタグ付けしてそのエリアにいる携帯端末に対してコンテンツを送信する技術が開示されている。
【先行技術文献】
【特許文献】
【０００４】
【特許文献１】特開２０１４−０６７１１５号公報
【発明の概要】
【発明が解決しようとする課題】
【０００５】
しかしながら、特許文献１では、配信側が設定した該当受信者に対してコンテンツを配信しているため、該当しない受信者はその情報を得ることができない。上記技術はクーポンなどのタイムリーな情報を対象にしたコンテンツ配信を考えており、非該当受信者が情報を受信する仕組みがないため、自身が作成したコンテンツを沢山の人へ広げようと作者がコンテンツを配信する場合や、レコメンドのように他者に推薦する仕組みとしての利用には不十分であると考えられる。また、非該当の受信者に対して情報をシャットアウトするのは、配信者の権限が強すぎると考えられる。
【０００６】
本発明は、このような事情に鑑みてなされたものであり、サーバ側で管理するコンテンツのＩＤで同一ＩＤを複数存在させることによりコンテンツの利用制限をかけることや閲覧機械を変動させること、そして配信コンテンツが突然変異のように配信者の意図しないコンテンツを配信するコンテンツ配信システム、サーバ装置および携帯端末装置を提供することを目的とする。
【課題を解決するための手段】
【０００７】
（１）上記の目的を達成するために、本発明は、以下のような手段を講じた。すなわち、本発明のコンテンツ配信システムは、サーバ装置から携帯端末装置へコンテンツを配信するコンテンツ配信システムであって、前記携帯端末装置は、自装置が保有しているコンテンツまたは前記サーバ装置が保有しているコンテンツのレコメンド情報を前記サーバ装置へ送信する一方、前記送信したコンテンツまたはレコメンド情報に対して前記サーバ装置から付与された認証ＩＤを受信するサーバ連携部と、前記認証ＩＤを他の携帯端末装置へ送信する近距離通信部と、を備え、前記サーバ装置は、前記携帯端末装置からコンテンツまたはレコメンド情報を受信する携帯端末連携部と、前記受信したコンテンツまたはレコメンド情報に対して認証ＩＤを付与する認証ＩＤ生成部と、複数のコンテンツおよびレコメンド情報を記録すると共に、前記受信したコンテンツまたはレコメンド情報を記録するデータベースと、を備え、前記認証ＩＤ生成部は、前記データベースに記録されている複数のコンテンツおよびレコメンド情報からいずれか一つのコンテンツまたはレコメンド情報を抽出し、前記受信したコンテンツまたはレコメンド情報が、前記抽出したコンテンツまたはレコメンド情報と同一ではないこと、および前記受信したコンテンツまたはレコメンド情報に付されている位置情報により特定される地域が、前記抽出したコンテンツまたはレコメンド情報に付されている位置情報により特定される地域と同一ではない場合に、前記受信したコンテンツまたはレコメンド情報に対し、前記抽出したコンテンツまたはレコメンド情報と同一の認証ＩＤを付与することを特徴とする。
【０００８】
このように、携帯端末装置が、自装置で保有しているコンテンツまたはサーバ装置で保有しているコンテンツのレコメンド情報を、サーバ装置へ送信する一方、送信したコンテンツまたはレコメンド情報に対してサーバ装置から付与された認証ＩＤを受信し、受信した認証ＩＤを他の携帯端末装置へ送信し、また、サーバ装置が、携帯端末装置からコンテンツまたはレコメンド情報を受信し、受信したコンテンツまたはレコメンド情報に対して認証ＩＤを付与し、複数のコンテンツおよびレコメンド情報を記録し、さらに認証ＩＤ生成部が、データベースに記録されている複数のコンテンツおよびレコメンド情報からいずれか一つのコンテンツまたはレコメンド情報を抽出し、受信したコンテンツまたはレコメンド情報が、抽出したコンテンツまたはレコメンド情報と同一ではないこと、および受信したコンテンツまたはレコメンド情報に付されている位置情報により特定される地域が、抽出したコンテンツまたはレコメンド情報に付されている位置情報により特定される地域と同一ではない場合に、受信したコンテンツまたはレコメンド情報に対し、抽出したコンテンツまたはレコメンド情報と同一の認証ＩＤを付与するので、コンテンツまたはレコメンド情報を提供するユーザ自身が流行を作り出すことができる。また、動的に認証ＩＤを生成しているため、１つのＩＤに複数のコンテンツを紐付けることができる。
【０００９】
（２）また、本発明のコンテンツ配信システムは、サーバ装置から携帯端末装置へコンテンツを配信するコンテンツ配信システムであって、前記携帯端末装置は、他の携帯端末装置からコンテンツまたはレコメンド情報の認証ＩＤを取得する近距離通信部と、自装置の位置情報および前記認証ＩＤを前記サーバ装置へ送信する一方、前記サーバ装置から前記認証ＩＤに対応するコンテンツまたはレコメンド情報を受信するサーバ連携部と、を備え、前記サーバ装置は、複数のコンテンツおよびレコメンド情報を記録するデータベースと、前記携帯端末装置から前記位置情報および前記認証ＩＤを受信すると共に、前記受信した認証ＩＤが、前記データベース中に記録されている複数種類のコンテンツおよびレコメンド情報に対応している場合は、前記受信した位置情報に最も近い位置情報が付されているコンテンツまたはレコメンド情報を抽出する一方、前記受信した認証ＩＤが、前記データベース中に記録されている複数種類のコンテンツおよびレコメンド情報に対応していない場合は、対応するコンテンツまたはレコメンド情報を抽出して、前記携帯端末装置に送信する携帯端末連携部と、を備えることを特徴とする。
【００１０】
このように、携帯端末装置が、他の携帯端末装置からコンテンツまたはレコメンド情報の認証ＩＤを取得し、自装置の位置情報および認証ＩＤをサーバ装置へ送信する一方、サーバ装置から認証ＩＤに対応するコンテンツまたはレコメンド情報を受信し、また、サーバ装置が、複数のコンテンツおよびレコメンド情報を記録するデータベースと、携帯端末装置から位置情報および認証ＩＤを受信すると共に、受信した認証ＩＤが、データベース中に記録されている複数種類のコンテンツおよびレコメンド情報に対応している場合は、受信した位置情報に最も近い位置情報が付されているコンテンツまたはレコメンド情報を抽出する一方、受信した認証ＩＤが、データベース中に記録されている複数種類のコンテンツおよびレコメンド情報に対応していない場合は、対応するコンテンツまたはレコメンド情報を抽出して、携帯端末装置に送信するので、コンテンツまたはレコメンド情報を提供するユーザ自身が流行を作り出すことができる。また、１つのＩＤに複数のコンテンツを紐付けられているため、一定の確率で位置情報に紐付いていないコンテンツを携帯端末装置が受信するといった仕組みが組み込まれているため、ユーザ自身が意図していないコンテンツが一定の割合で配信されるといった生物の突然変異のような現象をつくることができる。
【００１１】
（３）また、本発明のサーバ装置は、複数の携帯端末装置から送信されたコンテンツまたはレコメンド情報に対し、ＩＤの生成を行なうサーバ装置であって、前記携帯端末装置からコンテンツまたはレコメンド情報を受信する携帯端末連携部と、前記受信したコンテンツまたはレコメンド情報に対して認証ＩＤを付与する認証ＩＤ生成部と、複数のコンテンツおよびレコメンド情報を記録すると共に、前記受信したコンテンツまたはレコメンド情報を記録するデータベースと、を備え、前記認証ＩＤ生成部は、前記データベースに記録されている複数のコンテンツおよびレコメンド情報からいずれか一つのコンテンツまたはレコメンド情報を抽出し、前記受信したコンテンツまたはレコメンド情報が、前記抽出したコンテンツまたはレコメンド情報と同一ではないこと、および前記受信したコンテンツまたはレコメンド情報に付されている位置情報により特定される地域が、前記抽出したコンテンツまたはレコメンド情報に付されている位置情報により特定される地域と同一ではない場合に、前記受信したコンテンツまたはレコメンド情報に対し、前記抽出したコンテンツまたはレコメンド情報と同一の認証ＩＤを付与することを特徴とする。
【００１２】
このように、サーバ装置は、携帯端末装置からコンテンツまたはレコメンド情報を受信し、受信したコンテンツまたはレコメンド情報に対して認証ＩＤを付与し、複数のコンテンツおよびレコメンド情報を記録すると共に、受信したコンテンツまたはレコメンド情報を記録し、さらに、認証ＩＤ生成部が、データベースに記録されている複数のコンテンツおよびレコメンド情報からいずれか一つのコンテンツまたはレコメンド情報を抽出し、受信したコンテンツまたはレコメンド情報が、抽出したコンテンツまたはレコメンド情報と同一ではないこと、および受信したコンテンツまたはレコメンド情報に付されている位置情報により特定される地域が、抽出したコンテンツまたはレコメンド情報に付されている位置情報により特定される地域と同一ではない場合に、受信したコンテンツまたはレコメンド情報に対し、抽出したコンテンツまたはレコメンド情報と同一の認証ＩＤを付与するので、コンテンツまたはレコメンド情報を提供するユーザ自身が流行を作り出すことができる。また、動的に認証ＩＤを生成しているため、１つのＩＤに複数のコンテンツを紐付けることができる。
【００１３】
（４）また、本発明のサーバ装置は、複数の携帯端末装置から送信されたコンテンツまたはレコメンド情報に対し、ＩＤの認証を行なうサーバ装置であって、複数のコンテンツおよびレコメンド情報を記録するデータベースと、前記携帯端末装置から位置情報および認証ＩＤを受信すると共に、前記受信した認証ＩＤが、前記データベース中に記録されている複数種類のコンテンツおよびレコメンド情報に対応している場合は、前記受信した位置情報に最も近い位置情報が付されているコンテンツまたはレコメンド情報を抽出する一方、前記受信した認証ＩＤが、前記データベース中に記録されている複数種類のコンテンツおよびレコメンド情報に対応していない場合は、対応するコンテンツまたはレコメンド情報を抽出して、前記携帯端末装置に送信する携帯端末連携部と、を備えることを特徴とする。
【００１４】
このように、サーバ装置は、複数のコンテンツおよびレコメンド情報を記録するデータベースと、携帯端末装置から位置情報および認証ＩＤを受信すると共に、受信した認証ＩＤが、データベース中に記録されている複数種類のコンテンツおよびレコメンド情報に対応している場合は、受信した位置情報に最も近い位置情報が付されているコンテンツまたはレコメンド情報を抽出する一方、受信した認証ＩＤが、データベース中に記録されている複数種類のコンテンツおよびレコメンド情報に対応していない場合は、対応するコンテンツまたはレコメンド情報を抽出し、携帯端末装置に送信するので、コンテンツまたはレコメンド情報を提供するユーザ自身が流行を作り出すことができる。また、１つのＩＤに複数のコンテンツを紐付けられているため、一定の確率で位置情報に紐付いていないコンテンツを携帯端末装置が受信するといった仕組みが組み込まれているため、ユーザ自身が意図していないコンテンツが一定の割合で配信されるといった生物の突然変異のような現象をつくることができる。
【００１５】
（５）また、本発明の携帯端末装置は、サーバ装置へコンテンツまたはレコメンド情報を提供する携帯端末装置であって、自装置が保有しているコンテンツまたは前記サーバ装置が保有しているコンテンツのレコメンド情報を前記サーバ装置へ送信する一方、前記送信したコンテンツまたはレコメンド情報に対して前記サーバ装置から、予め定められた条件の下で付与された認証ＩＤを受信するサーバ連携部と、前記認証ＩＤを他の携帯端末装置へ送信する近距離通信部と、前記コンテンツまたはレコメンド情報に対し利用期限を設定し、前記設定された利用期限情報を少なくとも含む配信設定を行なう配信設定部と、を備え、前記条件の下において、前記サーバ装置により、データベースに記録されている複数のコンテンツおよびレコメンド情報からいずれか一つのコンテンツまたはレコメンド情報が抽出され、前記送信したコンテンツまたはレコメンド情報が、前記抽出されたコンテンツまたはレコメンド情報と同一ではないこと、および前記送信したコンテンツまたはレコメンド情報に付されている位置情報により特定される地域が、前記抽出されたコンテンツまたはレコメンド情報に付されている位置情報により特定される地域と同一ではない場合に、前記送信したコンテンツまたはレコメンド情報に対し、前記抽出されたコンテンツまたはレコメンド情報と同一の認証ＩＤが付与されることを特徴とする。
【００１６】
このように、携帯端末装置は、自装置が保有しているコンテンツまたはサーバ装置が保有しているコンテンツのレコメンド情報をサーバ装置へ送信する一方、送信したコンテンツまたはレコメンド情報に対してサーバ装置から予め定められた条件の下で付与された認証ＩＤを受信し、認証ＩＤを他の携帯端末装置へ送信し、コンテンツまたはレコメンド情報に対し利用期限を設定し、設定された利用期限情報を少なくとも含む配信設定を行なうので、１つまたは複数のコンテンツが紐付けられた認証ＩＤを取得することができ、更に、設定した期間継続してコンテンツやレコメンド情報を配信することができる。
【００１７】
（６）また、本発明の携帯端末装置は、サーバ装置からコンテンツまたはレコメンド情報を受信する携帯端末装置であって、他の携帯端末装置から、予め定められた条件の下で付与されたコンテンツまたはレコメンド情報の認証ＩＤを取得する近距離通信部と、自装置の位置情報および前記認証ＩＤを前記サーバ装置へ送信する一方、前記サーバ装置から前記認証ＩＤに対応するコンテンツまたはレコメンド情報を受信するサーバ連携部と、前記コンテンツまたはレコメンド情報に対し設定されている利用期限情報を用いて、前記コンテンツ若しくはレコメンド情報を再生し、または前記コンテンツ若しくはレコメンド情報の削除を行なうコンテンツ再生部と、を備え、前記条件の下において、前記サーバ装置により、データベースに記録されている複数のコンテンツおよびレコメンド情報からいずれか一つのコンテンツまたはレコメンド情報が抽出され、前記送信したコンテンツまたはレコメンド情報が、前記抽出されたコンテンツまたはレコメンド情報と同一ではないこと、および前記送信したコンテンツまたはレコメンド情報に付されている位置情報により特定される地域が、前記抽出されたコンテンツまたはレコメンド情報に付されている位置情報により特定される地域と同一ではない場合に、前記送信したコンテンツまたはレコメンド情報に対し、前記抽出されたコンテンツまたはレコメンド情報と同一の認証ＩＤが付与されることを特徴とする。
【００１８】
このように、携帯端末装置は、他の携帯端末装置から、予め定められた条件の下で付与されたコンテンツまたはレコメンド情報の認証ＩＤを取得し、自装置の位置情報および認証ＩＤをサーバ装置へ送信する一方、サーバ装置から認証ＩＤに対応するコンテンツまたはレコメンド情報を受信するので、１つまたは複数のコンテンツが紐付けられた認証ＩＤに紐付けられたコンテンツまたはレコメンド情報から、一定の確率で位置情報に紐付いていないコンテンツを携帯端末装置が受信するといった仕組みが組み込まれているため、ユーザ自身が意図していないコンテンツが一定の割合で配信されるといった生物の突然変異のような現象をつくることができ、更に、設定した期間継続してコンテンツやレコメンド情報を配信することができる。
【発明の効果】
【００１９】
本発明によれば、コンテンツまたはレコメンド情報を提供するユーザ自身が流行を作り出すことができる。そして、動的に認証ＩＤを生成しているため、１つのＩＤに複数のコンテンツを紐付けることができ、一定の確率で位置情報に紐付いていないコンテンツが配信されるといった生物の突然変異のような現象をつくることができる。
【図面の簡単な説明】
【００２０】
【図１】本実施形態に係るコンテンツ送信側のコンテンツ配信システムの概略構成を示すブロック図である。
【図２】本実施形態に係るコンテンツ受信側のコンテンツ配信システムの概略構成を示すブロック図である。
【図３】本実施形態に係る送信携帯端末装置の動作例を示すフローチャートである。
【図４】本実施形態に係る受信携帯端末装置の動作例を示すフローチャートである。
【図５】本実施形態に係る受信携帯端末装置でのコンテンツ再生処理の動作例を示すフローチャートである。
【図６】本実施形態に係るサーバ装置での同一ＩＤ設定処理の動作例を示すフローチャートである。
【図７】配信コンテンツの取得状況を表示する処理の動作例を示すフローチャートである。
【図８】受信携帯端末装置でのコンテンツ再生時の動作例を示すフローチャート図である。
【発明を実施するための形態】
【００２１】
本発明者らは、コンテンツ配信者が設定した受信者に対してのみコンテンツが配信され、非該当の受信者はそのようなコンテンツを受信する仕組みがないこと、そして自分自身が配信したコンテンツを沢山の人へ広げることやコンテンツを他者に推薦する仕組みが不十分であることに着目し、複数のコンテンツやレコメンド情報に対し同一のＩＤを付与することで、ユーザ自身が意図していないコンテンツが一定の割合で配信されるといった生物の突然変異のような現象をつくることができることを見出し、本発明をするに至った。
【００２２】
すなわち、本発明のコンテンツ配信システムは、サーバ装置から携帯端末装置へコンテンツを配信するコンテンツ配信システムであって、前記携帯端末装置は、自装置が保有しているコンテンツまたは前記サーバ装置が保有しているコンテンツのレコメンド情報を前記サーバ装置へ送信する一方、前記送信したコンテンツまたはレコメンド情報に対して前記サーバ装置から付与された認証ＩＤを受信するサーバ連携部と、前記認証ＩＤを他の携帯端末装置へ送信する近距離通信部と、を備え、前記サーバ装置は、前記携帯端末装置からコンテンツまたはレコメンド情報を受信する携帯端末連携部と、前記受信したコンテンツまたはレコメンド情報に対して認証ＩＤを付与する認証ＩＤ生成部と、複数のコンテンツおよびレコメンド情報を記録すると共に、前記受信したコンテンツまたはレコメンド情報を記録するデータベースと、を備え、前記認証ＩＤ生成部は、前記データベースに記録されている複数のコンテンツおよびレコメンド情報からいずれか一つのコンテンツまたはレコメンド情報を抽出し、前記受信したコンテンツまたはレコメンド情報が、前記抽出したコンテンツまたはレコメンド情報と同一ではないこと、および前記受信したコンテンツまたはレコメンド情報に付されている位置情報により特定される地域が、前記抽出したコンテンツまたはレコメンド情報に付されている位置情報により特定される地域と同一ではない場合に、前記受信したコンテンツまたはレコメンド情報に対し、前記抽出したコンテンツまたはレコメンド情報と同一の認証ＩＤを付与することを特徴とする。
【００２３】
これにより、本発明者らは、コンテンツまたはレコメンド情報を提供するユーザ自身が流行を作り出すことを可能とした。また、１つのＩＤに複数のコンテンツが紐付けられているため、一定の確率でＩＤは同一であるが位置情報に紐付いていないコンテンツを携帯端末装置が受信するといった仕組みを実現することを可能とした。以下、本発明の実施形態について図を参照して説明する。
【００２４】
本発明は携帯端末装置とサーバ装置からなるシステムである。以下、説明をわかりやすくするため、コンテンツまたはレコメンド情報を配信する携帯端末装置を送信携帯端末装置、コンテンツまたはレコメンド情報を受信する携帯端末装置を受信携帯端末装置とする。図１は、本実施形態に係るコンテンツ送信側のコンテンツ配信システムの概略構成を示すブロック図である。
【００２５】
図１の送信携帯端末装置１０１において、ユーザ情報取得部１１７は、送信携帯端末ユーザ自身の住所情報１１１やＧＰＳ１１３で取得したユーザの位置情報をユーザ情報として取得する。配信設定部１１９は、ユーザから入力されたコンテンツの配信における情報を配信設定情報として設定し、コンテンツ１１５、コンテンツのレコメンド情報（以下、レコメンド情報ともいう）、ユーザ情報および配信設定情報をサーバ連携部１０３へ送信する。サーバ連携部１０３は、サーバ装置１と通信する機能を有し、サーバ装置１へ配信設定情報、コンテンツ、コンテンツのレコメンド情報を送信する。また、サーバ連携部１０３は、サーバ装置１で生成された認証ＩＤを受信する。情報送信制御部１０５は、サーバ装置１から受信した認証ＩＤと予め設定されているアプリ固有のＩＤ１０９の送信に関する制御を行なう。近距離通信部１０７は、情報送信制御部１０７で判断された認証ＩＤおよびアプリ固有のＩＤを、他の携帯端末に対し配信する。
【００２６】
図１のサーバ装置１において、携帯端末連携部７は、送信携帯端末装置１０１からコンテンツ、コンテンツのレコメンド情報、ユーザ情報および配信設定情報を受信する。認証ＩＤ生成部５は、受信したコンテンツに対し、データを認証するための認証ＩＤを生成し、生成された認証ＩＤと共に、コンテンツまたはコンテンツのレコメンド情報および配信設定情報をデータベース３へ記録する。そして、携帯端末連携部７から送信携帯端末装置１０１へ生成された認証ＩＤを送信する。
【００２７】
図２は、本実施形態に係るコンテンツ受信側のコンテンツ配信システムの概略構成を示すブロック図である。図２の受信携帯端末装置２０１において、近距離通信部２０７は、送信携帯端末装置１０１から送信された認証ＩＤおよびアプリ固有のＩＤを受信する。受信情報判断部２０５は、受信した認証ＩＤおよびアプリ固有のＩＤを確認し、サーバ連携部２０３へ送信する。ユーザ情報取得部２１５は、受信携帯端末ユーザ自身の住所情報２１１やＧＰＳ２１３で取得したユーザの位置情報をユーザ情報として取得し、サーバ連携部２０３へ送信する。サーバ連携部２０３は、サーバ装置２１と通信する機能を有し、受信情報判断部２０５から受信した認証ＩＤ、およびユーザ情報取得部２１５から取得したユーザ情報をサーバ装置２１へ送信する。また、サーバ連携部２０３は、サーバ装置２１へ送信した認証ＩＤに該当するコンテンツ、および該当コンテンツの利用期限情報を受信する。コンテンツ再生部２２１は、受信したコンテンツの利用期限を記録し、受信したコンテンツを再生する機能を備える。また、コンテンツ再生部２２１は、受信したコンテンツを削除する機能も有する。
【００２８】
図２のサーバ装置２１において、携帯端末連携部２９は、受信携帯端末装置２０１から認証ＩＤおよびユーザ情報を受信する。ＩＤ認証部２３は、受信した認証ＩＤと同一のＩＤが設定されているコンテンツ、レコメンド情報、および利用期限情報をデータベース２５から取得する。そして、携帯端末連携部２９から受信携帯端末装置２０１へ取得したコンテンツまたはレコメンド情報を送信する。
【００２９】
以上説明したように、このような構成をとることにより、コンテンツ配信者自身でコンテンツの利用期限を設定することができ、コンテンツの送受信は携帯端末装置から発せられる電波を利用することにより、配信者は自身のコンテンツをどのように流行させたいかをアレンジすることが可能となる。
【００３０】
図３は、本実施形態に係る送信携帯端末装置の動作例を示すフローチャートである。まず、送信携帯端末ユーザは、配信コンテンツまたはレコメンド情報を選択する（ステップＳ１）。配信コンテンツを選択した場合、送信携帯端末ユーザは、コンテンツの利用期限等の配信設定を行なう。選択されたコンテンツは、配信設定部において送信携帯端末装置内から取得され、サーバ連携部を通じて、設定情報および送信携帯端末ユーザ自身の住所情報やＧＰＳで取得したユーザの位置情報をユーザ情報とともに、サーバ装置へ送信される（ステップＳ２）。また、レコメンドしたいコンテンツ自体は、サーバ装置で保持されているため、送信携帯端末ユーザが、レコメンド情報を選択した場合は、レコメンド情報、設定情報およびユーザ情報をサーバ装置へ送信（アップロード）する。
【００３１】
サーバ装置は、配信コンテンツまたはレコメンド情報、設定情報およびユーザ情報を受信すると、受信した配信コンテンツまたはレコメンド情報に対し、認証ＩＤを生成する（ステップＳ３）。サーバ装置は、生成された認証ＩＤを、受信したコンテンツまたはレコメンド情報、設定情報およびユーザ情報とともに、データベースに記録する（ステップＳ４）。サーバ装置は、各情報をデータベースへ記録した後、生成された認証ＩＤを送信携帯端末装置へ送信する（ステップＳ５）。送信携帯端末装置は、サーバ装置から認証ＩＤを受信すると、情報送信制御部へ認証ＩＤデータを送信し、送信アプリ受信アプリ共通の固有のＩＤを取得し、固有のＩＤおよび認証ＩＤとともに、近距離通信部を通じて配信する（ステップＳ６）。なお、配信設定をしている限りは、常時上記情報を発信し続ける。
【００３２】
図４は、本実施形態に係る受信携帯端末装置の動作例を示すフローチャートである。まず、受信携帯端末装置は、近距離通信部において電波を受信したか判断する（ステップＳ２１）。電波を受信していない場合は、引き続き受信体制を続ける。電波を受信した場合は、情報送信制御部において受信したアプリＩＤとアプリ固有のＩＤが一致するか判断する（ステップＳ２２）。受信したアプリＩＤとアプリ固有のＩＤが一致しない場合は、引き続き受信体制を続ける。受信したアプリＩＤとアプリ固有のＩＤが一致した場合は、受信した情報からデータ認証のためのＩＤを取得する（ステップＳ２３）。取得したデータ認証ＩＤは、サーバ連携部を通じて、受信携帯端末ユーザ自身の住所情報やＧＰＳで取得したユーザの位置情報をユーザ情報（ステップＳ２４）とともに、サーバ装置へ送信される（ステップＳ２５）。
【００３３】
サーバ装置は、データ認証ＩＤおよびユーザ情報を受信すると、受信したデータ認証ＩＤと同一のＩＤがデータベース内に複数存在するか判断する（ステップＳ２６）。データベース内に同一ＩＤが複数存在する場合は、複数存在する同一ＩＤからランダムにコンテンツまたはレコメンド情報を１つ選択する（ステップＳ２８）。ここで、ランダムにコンテンツまたはレコメンド情報を選択する方法として、データベースに保存されている同一のＩＤと紐付いて保存されている位置情報が、受信した受信携帯端末装置の位置情報に関するユーザ情報により近いコンテンツを選択する確率は高く設定されている。一方、同一のＩＤがデータベース内に１つのみ存在する場合は、一致した認証ＩＤをもつコンテンツまたはレコメンド情報を取得し（ステップＳ２７）、取得したコンテンツまたはレコメンド情報の利用期限情報をデータベースから取得し（ステップＳ２９）、受信携帯端末装置へ送信する（ステップＳ３０）。なお、受信携帯端末装置においても、配信設定をしている限りは、常時受信状態を継続する。また、発信状態と受信状態を同時に実行することも可能である。その場合は、自身が発信している電波は受信しない。
【００３４】
図５は、本実施形態に係る受信携帯端末装置でのコンテンツ再生処理の動作例を示すフローチャートである。受信携帯端末装置は、サーバ装置からコンテンツまたはレコメンド情報、および利用期限情報を取得し、受信したコンテンツまたはレコメンド情報が自装置内に存在するか判断する（ステップＳ１０１）。コンテンツまたはレコメンド情報が存在しない場合は、再生処理を終了させる。コンテンツまたはレコメンド情報が存在した場合、レコメンド情報はサーバ装置が保持しているため、受信したコンテンツを再生するか、サーバ装置が保持しているコンテンツを再生するかを選択する（ステップＳ１０２）。
【００３５】
受信したコンテンツを再生することを選択した場合、受信したコンテンツリストをディスプレイに表示する（ステップＳ１０７）。受信携帯端末ユーザは、ディスプレイに表示されたコンテンツリストから再生させたいコンテンツを選択する（ステップＳ１０８）。受信携帯端末装置は、選択されたコンテンツの利用期限を確認し（ステップＳ１０９）、利用期限が切れていた場合は、選択されたコンテンツを削除し（ステップＳ１１０）、再生処理を終了させる。選択されたコンテンツが利用期限内であった場合は、送信携帯端末装置からの電波を受信したか確認する（ステップＳ１１１）。再生しようとするコンテンツと同一のコンテンツを配信している電波を、受信携帯端末装置の近距離通信部で受信した場合は、電波の受信強度を利用して距離を推定し、携帯端末装置間の距離に応じて再生されたコンテンツの音量を動的に変更し（ステップＳ１１２）、選択されたコンテンツを再生する（ステップＳ１１３）。一方、ステップＳ１１１において、再生しようとするコンテンツと同一のコンテンツを配信している電波を受信しない場合は、選択されたコンテンツを再生する（ステップＳ１１３）。
【００３６】
次に、ステップＳ１０２でサーバ装置が保持しているコンテンツを再生することを選択した場合、サーバ装置がレコメンド情報を保持しているか判断する（ステップＳ１０３）。サーバ装置がレコメンド情報を保持していない場合は、再生処理を終了させる。サーバ装置がレコメンド情報を保持している場合は、レコメンド情報の利用期限を確認し（ステップＳ１０４）、利用期限が切れていた場合は、選択されたレコメンド情報を削除し（ステップＳ１０５）、再生処理を終了させる。選択されたレコメンド情報が利用期限内であった場合は、レコメンドされているコンテンツをコンテンツリストの最上位（一番目立つ場所）に配置し、サーバ装置が保持しているコンテンツリストを受信携帯端末装置のディスプレイに表示する（ステップＳ１０６）。受信携帯端末ユーザは、ディスプレイに表示されたサーバ装置が保持しているコンテンツリストから再生させたいコンテンツを選択し、再生する。
【００３７】
図６は、本実施形態に係るサーバ端末での同一ＩＤ設定処理の動作例を示すフローチャートである。サーバ装置は、送信携帯端末装置からコンテンツまたはレコメンド情報、および利用期限等の配信設定情報を受信する（ステップＳ２０１）。受信後、すでにデータベースに記録されているコンテンツおよびレコメンド情報の中からランダムに１つ選択し、コンテンツまたはレコメンド情報、位置情報に関するユーザ情報を取得する（ステップＳ２０２）。データベースから取得したコンテンツまたはレコメンド情報の位置情報に関するユーザ情報と、送信携帯端末装置から受信したコンテンツまたはレコメンド情報の位置情報に関するユーザ情報が同一地域ではない場合（ステップＳ２０３）で、且つ、データベースから取得したコンテンツまたはレコメンド情報と、送信携帯端末装置から受信したコンテンツまたはレコメンド情報が同一ではない場合（ステップＳ２０４）は、送信携帯端末から受信したコンテンツまたはレコメンド情報に対し、ランダムに取得したコンテンツまたはレコメンド情報の認証ＩＤと同一の認証ＩＤを設定する（ステップＳ２０５）。ステップＳ２０３およびステップＳ２０４の少なくともどちらか一方に該当しない場合は、送信携帯端末装置から受信したコンテンツまたはレコメンド情報に対し、新規の認証ＩＤを設定する（ステップＳ２０６）。
【００３８】
図７は、配信コンテンツの取得状況を表示する処理の動作例を示すフローチャートである。送信携帯端末装置は、自装置内に保持している配信済のコンテンツまたはレコメンド情報を取得する（ステップＳ３０１）。取得した配信済のコンテンツまたはレコメンド情報を配信済コンテンツリストにして、ディスプレイに表示する。送信携帯端末ユーザは、ディスプレイに表示された配信済コンテンツリストの中から、配信状況を知りたいコンテンツまたはレコメンド情報を選択する（ステップＳ３０２）。ユーザが選択したコンテンツまたはレコメンド情報についての情報を取得するため、送信携帯端末装置は、選択されたコンテンツまたはレコメンド情報の受信回数、受信された地域情報をサーバ装置から取得する（ステップＳ３０３）。送信携帯端末装置は、取得した情報をディスプレイに表示する（ステップＳ３０４）。
【００３９】
図８は、受信携帯端末装置でのコンテンツ再生時に、当該コンテンツ配信者のＢｌｕｅｔｏｏｔｈ（登録商標）等の電波を受信している場合のフローチャート図である。まず、再生するコンテンツにおける配信者の電波を受信しているかどうかを判断する（ステップＳ４０１）。受信していない場合にはコンテンツは通常通り再生する（ステップＳ４０２）。電波を受信している場合は、通常のコンテンツ再生音量を取得した（ステップＳ４０３）後、受信した電波強度を取得する（ステップＳ４０４）。その後、受信した電波強度によってコンテンツ再生における音量を変更し（ステップＳ４０５）、コンテンツを再生する（ステップＳ４０６）。配信者の電波を受信し続けている（ステップＳ４０７）限りは、電波を取得する度に音量は変更される。配信者の電波取得が切れた場合は、通常再生におけるコンテンツ再生の音量に戻し（ステップＳ４０８）、コンテンツを再生する（ステップＳ４０２）。
【００４０】
以上説明したように、本実施形態によれば、コンテンツまたはレコメンド情報を提供するユーザ自身が流行を作り出すことができることを可能とした。また、１つのＩＤに複数のコンテンツを紐付けられているため、一定の確率で位置情報に紐付いていないコンテンツを携帯端末装置が受信するといった仕組みを実現することが可能となる。
【符号の説明】
【００４１】
１、２１  サーバ、サーバ装置
３、２５  データベース
５  認証ＩＤ生成部
７、２９  携帯端末連携部
２３  ＩＤ認証部
２７  コンテンツ利用期限生成部
１０１  送信携帯端末装置、携帯端末装置
１０３、２０３  サーバ連携部
１０５  情報送信制御部
１０７、２０７  近距離通信部
１０９、２０９  アプリ固有ＩＤ
１１１、２１１  住所情報
１１３、２１３  ＧＰＳ
１１５  コンテンツ
１１７、２１５  ユーザ情報取得部
１１９  配信設定部
１２１、２１９  ディスプレイ
２０１  受信携帯端末装置、携帯端末装置
２０５  受信情報判断部
２１７  スピーカー
２２１  コンテンツ再生部
【図１】
2016118827.tif 000003
【図２】
2016118827.tif 000004
【図３】
2016118827.tif 000005
【図４】
2016118827.tif 000006
【図５】
2016118827.tif 000007
【図６】
2016118827.tif 000008
【図７】
2016118827.tif 000009
【図８】
2016118827.tif 000010